(57)【要約】【課題】フィクスチャーの剛性の低下を抑えつつ、フィクスチャーとアバットメントとの結合力を高めることにより、フィクスチャーおよび内部スクリューが破断するおそれを低減することが可能なフィクスチャーを提供すること。【解決手段】インプラントの一部を構成するフィクスチャー１は、フィクスチャー本体１Ａと、フィクスチャー本体１Ａの外部に設けられた外部結合部１Ｂとを含む。外部結合部１Ｂは、アバットメント３０の係合部３１に係合するように構成された係合部２を含む。外部結合部１Ｂは、外部結合部１Ｂの係合部２の表面に設けられた複数の溝部４をさらに含む。複数の溝部４は、アバットメント３０の係合部３１の表面に設けられた複数の突起部３４に係合するように構成されている。【選択図】図２Ｂ
2017029261.tif 000002
【特許請求の範囲】
【請求項１】
インプラントの一部を構成するフィクスチャーであって、
該フィクスチャーは、フィクスチャー本体と該本体の外部に設けられた外部結合部とを含み、
該外部結合部は、該フィクスチャーに装着されるアバットメントの係合部に係合するよう構成された係合部を含み、
該フィクスチャーの外部結合部の係合部の表面には、溝部または突起部が形成され、
該溝部または該突起部は、該アバットメントの係合部の表面に形成された突起部または溝部に係合するよう構成された、フィクスチャー。
【請求項２】
前記溝部または前記突起部は、前記フィクスチャーの縦軸に平行に延びた請求項１に記載のフィクスチャー。
【請求項３】
前記外部結合部の係合部は円柱状であり、
前記外部結合部の係合部の表面に形成された前記溝部または前記突起部は、平面Ｕ字形状をなし、該溝部または該突起部は計６個であり、かつ、
前記外部結合部の係合部の表面に形成された前記溝部または前記突起部は、前記外部結合部の係合部の表面に略均等に設けられた、請求項２に記載のフィクスチャー。
【請求項４】
前記外部結合部は、前記フィクスチャーのプラットフォーム面に設けられ、
前記外部結合部の係合部の表面の前記溝部は、該プラットフォーム面よりも該フィクスチャーの下方に向かって延びる内部ロック部を含み、
該内部ロック部は、前記アバットメントの係合部の表面に形成された前記突起部に形成された外部ロック部に係合するよう構成された、請求項１〜３のいずれか一項に記載のフィクスチャー。
【請求項５】
前記内部ロック部は、前記フィクスチャーの外側に向かって延びる部分を有する請求項４に記載のフィクスチャー。
【請求項６】
インプラントの一部を構成するフィクスチャーであって、
該フィクスチャーは、フィクスチャー本体と該本体の外部に設けられた外部結合部と該本体の内部に設けられた内部結合部とを含み、
該外部結合部は、該フィクスチャーに装着されるアバットメントの第１係合部に係合するよう構成された第１係合部を含み、
該内部結合部は、該アバットメントの第２係合部に係合するよう構成された第２係合部を含む、フィクスチャー。
【請求項７】
前記アバットメントの第２係合部と前記フィクスチャーの第２係合部とが係合する係合面の上端において、該フィクスチャーの第２係合部の外周は、該アバットメントの第２係合部の外周よりも長い、請求項６に記載のフィクスチャー。
【請求項８】
前記外部結合部は、前記フィクスチャーのプラットフォーム面に設けられ、
該プラットフォーム面は、前記アバットメントと歯肉との間から侵入する異物が該プラットフォーム面に沿って該フィクスチャーの周囲の骨組織に移動することを妨げる形状を有する請求項７に記載のフィクスチャー。
【請求項９】
前記プラットフォーム面は、前記フィクスチャーの上方に向かうにつれて縦軸から遠ざかるよう形成された請求項８に記載のフィクスチャー。
【請求項１０】
前記フィクスチャーの外部結合部の第１係合部の表面には、溝部または突起部が形成され、該溝部または該突起部は、前記アバットメントの第１係合部の表面に形成された突起部または溝部に係合するよう構成された、請求項６〜９のいずれか一項に記載のフィクスチャー。
【請求項１１】
前記外部結合部の第１係合部は円柱状であり、
該外部結合部の第１係合部の表面に形成された前記溝部または前記突起部は、平面Ｕ字形状をなし、該溝部または該突起部は計６個であり、かつ、
該外部結合部の第１係合部の表面に形成された該溝部または該突起部は、該外部結合部の第１係合部の表面に略均等に設けられている、請求項１０に記載のフィクスチャー。
【請求項１２】
前記内部結合部の第２係合部は内壁面を有し、
該内壁面は、前記フィクスチャーの下方に向かうにつれて前記フィクスチャーの縦軸に近付くよう傾斜し、該傾斜は、前記フィクスチャーの下方に向かうにつれてゆるやかになる、請求項６〜１１のいずれか一項に記載のフィクスチャー。
【発明の詳細な説明】
【技術分野】
【０００１】
本発明は、歯槽骨に固着されるフィクスチャーに関する。
【背景技術】
【０００２】
インプラント治療に用いられるインプラントは、歯槽骨に固着されるフィクスチャーと、フィクスチャーに装着されるアバットメントと、アバットメントに装着され人工歯として機能する補綴物とから構成される。
【０００３】
従来、フィクスチャーとしては、外部結合様式のフィクスチャーと内部結合様式のフィクスチャーとが知られている。
【０００４】
外部結合様式のフィクスチャーによれば、内部結合様式のフィクスチャーに比べてフィクスチャーの中空部分が少ないため、フィクスチャーの剛性を高くすることができる。その結果、インプラントに大きな応力が生じても、フィクスチャー内部からフィクスチャー周囲の骨組織へ向けての応力集中を少なくすることが可能である。しかしながら、口腔内で用いるという制限からフィクスチャーの上部に設ける凸部の高さを高くすることができないため、フィクスチャーとアバットメントとの接触表面積が大きくできないという問題点があった。これにより、フィクスチャーとアバットメントとの結合力が低いため、フィクスチャーにアバットメントを締結する際に用いる内部スクリューの径を大きくする必要があり（例えば、φ２．０ｍｍ）、締結トルク値を高くする必要がある（例えば、約３５Ｎｃｍ）という問題点があった。さらに、締結トルク値が高いために、内部スクリューへの応力集中が避けられず、内部スクリューが破断するおそれが高まるという問題点があった。
【０００５】
内部結合様式のフィクスチャーによれば、結合部の位置をフィクスチャー内部の深い位置にすることで、フィクスチャーとアバットメントとの接触表面積を増加させることが可能である。これにより、フィクスチャーとアバットメントとの結合力を高めることが可能であり、内部スクリューの締結トルク値を低くすることが可能である。その結果、インプラントに大きな応力が生じても、内部スクリューへの応力集中を緩和することが可能であり、内部スクリューが破断するおそれを低減することが可能である。しかしながら、内部結合様式のフィクスチャーは、外部結合様式のフィクスチャーに比べて、フィクスチャーの中空部分が多いため、フィクスチャーの剛性が低くなる。その結果、インプラントに大きな応力が生じた際に、フィクスチャー内部からフィクスチャー周囲の骨組織へ向けての応力集中が避けられず、フィクスチャーの周囲の骨組織への悪影響やフィクスチャーが破断するおそれが高まるという問題点があった。
【０００６】
例えば、従来の外部結合様式のフィクスチャーおよび従来の内部結合様式のフィクスチャーが特許文献１に記載されている。
【先行技術文献】
【特許文献】
【０００７】
【特許文献１】特開２００４−１１３７１８号公報
【発明の概要】
【発明が解決しようとする課題】
【０００８】
本発明は、このような従来の外部結合様式のフィクスチャーおよび内部結合様式のフィクスチャーの問題点に鑑み、フィクスチャーの剛性の低下を抑えつつ、フィクスチャーとアバットメントとの結合力を高めることにより、フィクスチャーや内部スクリューが破断するおそれを低減することが可能なフィクスチャーを提供することを目的とする。
【課題を解決するための手段】
【０００９】
本発明のフィクスチャーは、インプラントの一部を構成するフィクスチャーであって、
該フィクスチャーは、フィクスチャー本体と該本体の外部に設けられた外部結合部とを含み、該外部結合部は、該フィクスチャーに装着されるアバットメントの係合部に係合するよう構成された係合部を含み、該フィクスチャーの外部結合部の係合部の表面には、溝部または突起部が形成され、該溝部または該突起部は、該アバットメントの係合部の表面に形成された突起部または溝部に係合するよう構成され、そのことにより上記目的が達成される。
【００１０】
本発明の１つの実施形態では、前記溝部または前記突起部は、前記フィクスチャーの縦軸に平行に延びている。
【００１１】
本発明の１つの実施形態では、前記外部結合部の係合部は円柱状であり、前記外部結合部の係合部の表面に形成された前記溝部または前記突起部は、平面Ｕ字形状をなし、該溝部または該突起部は計６個であり、かつ、前記外部結合部の係合部の表面に形成された前記溝部または前記突起部は、前記外部結合部の係合部の表面に略均等に設けられている。
【００１２】
本発明の１つの実施形態では、前記外部結合部は、前記フィクスチャーのプラットフォーム面に設けられ、前記外部結合部の係合部の表面の前記溝部は、該プラットフォーム面よりも該フィクスチャーの下方に向かって延びる内部ロック部を含み、該内部ロック部は、前記アバットメントの係合部の表面に形成された前記突起部に形成された外部ロック部に係合するよう構成されている。
【００１３】
本発明の１つの実施形態では、前記内部ロック部は、前記フィクスチャーの外側に向かって延びる部分を有する。
【００１４】
本発明のフィクスチャーは、インプラントの一部を構成するフィクスチャーであって、該フィクスチャーは、フィクスチャー本体と該本体の外部に設けられた外部結合部と該本体の内部に設けられた内部結合部とを含み、該外部結合部は、該フィクスチャーに装着されるアバットメントの第１係合部に係合するよう構成された第１係合部を含み、  該内部結合部は、該アバットメントの第２係合部に係合するよう構成された第２係合部を含んでいる。
【００１５】
本発明の１つの実施形態では、前記アバットメントの第２係合部と前記フィクスチャーの第２係合部とが係合する係合面の上端において、該フィクスチャーの第２係合部の外周は、該アバットメントの第２係合部の外周よりも長い。
【００１６】
本発明の１つの実施形態では、前記外部結合部は、前記フィクスチャーのプラットフォーム面に設けられ、該プラットフォーム面は、前記アバットメントと歯肉との間から侵入する異物が該プラットフォーム面に沿って該フィクスチャーの周囲の骨組織に移動することを妨げる形状を有する。
【００１７】
本発明の１つの実施形態では、前記プラットフォーム面は、前記フィクスチャーの上方に向かうにつれて縦軸から遠ざかるよう形成される。
【００１８】
本発明の１つの実施形態では、前記フィクスチャーの外部結合部の第１係合部の表面には、溝部または突起部が形成され、該溝部または該突起部は、前記アバットメントの第１係合部の表面に形成された突起部または溝部に係合するよう構成されている。
【００１９】
本発明の１つの実施形態では、前記外部結合部の第１係合部は円柱状であり、該外部結合部の第１係合部の表面に形成された前記溝部または前記突起部は、平面Ｕ字形状をなし、該溝部または該突起部は計６個であり、かつ、該外部結合部の第１係合部の表面に形成された該溝部または該突起部は、該外部結合部の第１係合部の表面に略均等に設けられている。
【００２０】
本発明の１つの実施形態では、前記内部結合部の第２係合部は内壁面を有し、該内壁面は、前記フィクスチャーの下方に向かうにつれて前記フィクスチャーの縦軸に近付くよう傾斜し、該傾斜は、前記フィクスチャーの下方に向かうにつれてゆるやかになっている。
【発明の効果】
【００２１】
本発明のフィクスチャーによれば、フィクスチャーの剛性の低下を抑えつつ、フィクスチャーとアバットメントとの結合力を高めることにより、フィクスチャーや内部スクリューが破断するおそれを低減することが可能なフィクスチャーを提供することが可能である。
【図面の簡単な説明】
【００２２】
【図１】フィクスチャー１とアバットメント３０との結合関係を示す図
【図２Ａ】フィクスチャー１の正面図（フィクスチャー１の上方部分は図２ＢのＡ−Ａ縦断面図）
【図２Ｂ】フィクスチャー１の上面図
【図２Ｃ】図２Ｂに示される６個の溝部４のうち互いに隣接する溝部４、４の間の点をつないだ結果を示す図
【図２Ｄ】フィクスチャー１の外部結合部１Ｂを拡大した部分の斜視図
【図３Ａ】フィクスチャー１’の正面図（フィクスチャー１’の上方部分は、図３ＢのＡ−Ａ縦断面図）
【図３Ｂ】フィクスチャー１’の上面図
【図４Ａ】フィクスチャー１”の正面図（フィクスチャー１”の上方部分は図４ＢのＡ−Ａ縦断面図）
【図４Ｂ】フィクスチャー１”の上面図
【図５】フィクスチャー１０１とアバットメント１３０との結合関係を示す図
【図６Ａ】フィクスチャー１０１の図６ＢのＡ−Ａ縦断面図
【図６Ｂ】フィクスチャー１０１の上面図
【図７】フィクスチャー１０１を歯槽骨の骨組織１７０に装着した際のプラットフォーム面１１１近傍の部分拡大図
【発明を実施するための形態】
【００２３】
以下、図面を参照しながら、本発明の実施形態を説明する。
【００２４】
１．本発明の実施形態１のフィクスチャーの構造
図１および図２Ａ〜図２Ｄを参照して、本発明の実施形態１のフィクスチャー１の構造を説明する。
【００２５】
フィクスチャー１は略円筒状体に形成されている。フィクスチャー１の外径は、例えば、約３ｍｍ〜約５ｍｍである。フィクスチャー１の縦軸方向の長さは、例えば、約１０ｍｍ〜約１２ｍｍである。フィクスチャー１はアバットメント３０に結合されるように構成されている。
【００２６】
図１は、フィクスチャー１とアバットメント３０との結合関係を示す。ここで、図１の上方はアバットメント３０の縦断面図であり、図１の下方はフィクスチャー１の縦断面図である。
【００２７】
図１に示されるように、フィクスチャー１は、外部結合様式のフィクスチャーである。フィクスチャー１は、フィクスチャー本体１Ａと、フィクスチャー本体１Ａの外部に設けられた外部結合部１Ｂとを含む。外部結合部１Ｂは、フィクスチャー１をアバットメント３０に結合するためのものである。  
【００２８】
フィクスチャー１Ａ本体の上方端部９には、フィクスチャー１のプラットフォーム面１１とフィクスチャー１の係合部２とが設けられている。フィクスチャー１の係合部２は、凸状の形状を有している。
【００２９】
フィクスチャー１のプラットフォーム面１１は、アバットメント３０の下端面３２と接合するように構成されている。図１では、フィクスチャー１のプラットフォーム面１１とアバットメント３０の下端面３２との接合関係が破線の矢印で表されている。
【００３０】
フィクスチャー１の係合部２は、アバットメント３０の係合部３１に係合するように構成されている。アバットメント３０の係合部３１は、凹状の形状を有している。図１では、フィクスチャー１の係合部２とアバットメント３０の係合部３１との係合関係（すなわち、係合部２の凸状の形状と係合部３１の凹状の形状との係合関係）が破線の矢印で表されている。
【００３１】
フィクスチャー１の係合部２の外壁面には、６個の溝部４が設けられている。これらの溝部４のそれぞれは、アバットメント３０の係合部３１の内壁面に形成された６個の突起部３４のうちの対応する１つの突起部３４と嵌合するように構成されている。図１では、フィクスチャー１の溝部４とアバットメント３０の突起部３４との嵌合関係が破線の矢印で表されている。
【００３２】
フィクスチャー１の溝部４は、フィクスチャー１の縦軸方向に延びている。フィクスチャー１の縦軸方向に延びている溝部４のうち、プラットフォーム面１１よりも下方の部分を内部ロック部１３という。内部ロック部１３は、フィクスチャー１の外側に向かって延びている。内部ロック部１３の外周は、傾斜面を有している。この傾斜面は、フィクスチャー１の下方に向かうにつれてフィクスチャー１の内側に向かって緩やかに傾斜する。フィクスチャー１の溝部４の一部である内部ロック部１３は、アバットメント３０の突起部３４の一部である外部ロック部３５と嵌合する。
【００３３】
図２Ａは、フィクスチャー１の正面図である。ここで、フィクスチャー１の上方部分は図２ＢのＡ−Ａ縦断面図である。図２Ｂは、フィクスチャー１の上面図である。
【００３４】
図２Ａに示されるように、フィクスチャー１は、フィクスチャー本体１Ａと、フィクスチャー本体１Ａの外部に設けられた外部結合部１Ｂとを含む。外部結合部１Ｂは、アバットメント３０の係合部３１に係合するように構成された係合部２を含む。
【００３５】
図２Ｂに示されるように、外部結合部１Ｂの係合部２の外壁面３には、６個の溝部４が略均等に形成されている。これらの溝部４のそれぞれは、平面Ｕ字形状をなしている。
【００３６】
図２Ｃは、図２Ｂに示される６個の溝部４のうち互いに隣接する溝部４、４の間の点をつないだ結果を示す図である。図２Ｃに示されるように、図２Ｂに示される６個の溝部４のうち互いに隣接する溝部４、４の間の点をつなぐことにより、六芒星（”Ｓｔａｒ  ｏｆ  ＤＡＶＩＤ”）が現れる。発明者は、この六芒星の形状にちなみ、このような６個の溝部４を有する係合部２を「ダビデヘクサグラム」（”ＤＡＶＩＤ  ｈｅｘａｇｒａｍ”）と命名し、このような６個の溝部４を有する係合部２を用いたフィクスチャー１とアバットメント３０との結合を「ダビデ結合」（”ＤＡＶＩＤ  ｃｏｎｎｅｃｔｉｏｎ”）と命名した。
【００３７】
図２Ｄは、フィクスチャー１の外部結合部１Ｂを拡大した部分の斜視図である。図２Ｄに示されるように、外部結合部１Ｂの係合部２の外壁面３に形成された６個の溝部４のそれぞれは、フィクスチャー１の縦軸方向に延びている。
【００３８】
図２Ａを再び参照して、フィクスチャー１の係合部２の上面には、雌ねじが切られたねじ孔５（例えば、φ１．６ｍｍ）が設けられている。ねじ孔５は、係合部２の上面からフィクスチャー本体１Ａの内部に延在するように形成されている。
【００３９】
さらに、フィクスチャー本体１Ａの外周面には、複数の溝６と複数の溝７とが形成されている。複数の溝６は、フィクスチャー本体１Ａの上方端部９から下方端部１０に向かってフィクスチャー１の縦軸方向に延びている。複数の溝６は、複数の溝７と交差するように、かつ、フィクスチャー１の横軸方向に延びている。
【００４０】
複数の溝６の断面形状および複数の溝７の断面形状はそれぞれＶ字状の形状である。複数の溝６と複数の溝７とが交差する部分には、ピラミッドの形状の突起８が形成されている。
【００４１】
図２Ａ、図２Ｂに示されるフィクスチャー本体１Ａの外周面に形成されるものの形状は、単なる一例にすぎず、本発明はこれに限定されない。フィクスチャー本体１Ａの外周面に形成されるものの形状としては、様々な形状を採用することが可能である。
【００４２】
ここで、フィクスチャー１の縦軸方向とは、フィクスチャー１の長手方向軸（すなわち、縦軸Ｘ、図２Ａを参照）に沿って延びる方向をいう（ただし、フィクスチャー１の縦軸Ｘから周方向に湾曲するように延びる方向もまた縦軸方向というものとする）。フィクスチャー１の横軸方向とは、フィクスチャー１の縦軸Ｘに略直交する横軸に沿って延びる方向をいう。フィクスチャー１の横軸方向において縦軸Ｘに近付く方向を「内側」（図２Ａを参照）といい、フィクスチャー１の横軸方向において縦軸Ｘから離れる方向を「外側」（図２Ａを参照）という。また、フィクスチャー１が歯槽骨に挿入される際に、歯槽骨内に配置されるフィクスチャー１の側を「下方」（図２Ａを参照）といい、下方と反対側を「上方」（図２Ａを参照）という。
【００４３】
２．本発明の実施形態１のフィクスチャーによって達成される効果
本発明の実施形態１のフィクスチャー１によれば、フィクスチャー１の係合部２とアバットメント３０の係合部３１とを係合する際に、フィクスチャー１の係合部２の外壁面に形成された溝部４とアバットメント３０の係合部３１の内壁面に形成された突起部３４とが嵌合される。フィクスチャー１の溝部４とアバットメント３０の突起部３４とが嵌合されることによって、従来の外部結合様式のフィクスチャーに比べて、フィクスチャー１とアバットメント３０との接触表面積を増加させることが可能である。これにより、フィクスチャー１の高さを高くすることなく、フィクスチャー１とアバットメント３０との結合力を高くすることが可能であり、内部スクリューによる結合力の負担を低減することが可能である。その結果、内部スクリューのねじ径を小さくすることが可能であり（例えば、従来の外部結合様式のフィクスチャーの内部スクリューのねじ径φが２．０ｍｍであるのに対して、フィクスチャー１の内部スクリューのねじ径をφ１．６ｍｍに低減することが可能である）、アバットメント３０をフィクスチャー１に締結するために必要とされるトルクの値（すなわち、締結トルク値）を低減することが可能である（例えば、従来の外部結合様式のフィクスチャーの締結トルク値が約３５Ｎｃｍであるのに対して、フィクスチャー１の締結トルク値を約２０Ｎｃｍ〜約２５Ｎｃｍに低減することが可能である）。
【００４４】
さらに、フィクスチャー１とアバットメント３０との結合力を高くすることが可能である分、フィクスチャー１とアバットメント３０とを締結する際の内部スクリューへの応力集中を低減することが可能である。これにより、内部スクリューが破断するおそれを低減することが可能である。
【００４５】
さらに、締結トルク値を低減することが可能であるため、フィクスチャー１とアバットメント３０とを締結する際に、過大な回転力がフィクスチャー１に生じることがない。このため、骨組織とフィクスチャー１との固着状態（いわゆる、オッセオインテグレーション）の破壊を防止することが可能である。
【００４６】
さらに、６個の溝部４を有する係合部２が六芒星の形状を有しているため、アバットメント３０にアバットメント３０の縦軸方向および横軸方向に回転力が生じた場合でも、従来の外部結合様式のフィクスチャーに比べて、フィクスチャー１とアバットメント３０との適合性を損なうことなく、フィクスチャー１とアバットメント３０との結合力を安定して得ることが可能である。
【００４７】
さらに、６個の溝部４を有する係合部２が六芒星の形状を有しているため、フィクスチャー１の係合部２はあらゆる方向からの応力を受け止めることが可能である。これにより、内部スクリューへの応力集中を低減することが可能であり、内部スクリューの緩みや内部スクリューが破断するおそれを低減することが可能である。
【００４８】
さらに、内部スクリューのねじ径を小さくすることが可能であるため（例えば、内部スクリューのねじ径をφ１．６ｍｍに低減することが可能であるため）、フィクスチャー１の厚みをその分だけ増加させることが可能である。これにより、フィクスチャー１の剛性を高くすることが可能であり、フィクスチャー１の周囲の骨組織への悪影響やフィクスチャー１が破断するおそれを低減することが可能である。
【００４９】
さらに、フィクスチャー１の内部ロック部１３とアバットメント３０の外部ロック部３５とが嵌合されるため、フィクスチャー１とアバットメント３０との結合力をさらに高くすることが可能である。
【００５０】
さらに、プラットフォーム面１１よりも下方の部分である内部ロック部１３と外部ロック部３５とが嵌合されるため、アバットメント３０にアバットメント３０の横軸方向の過大な応力が生じた場合でも、アバットメント３０がフィクスチャー１のプラットフォーム面１１から浮き上がることを防止することが可能である。これにより、フィクスチャー１とアバットメント３０との適合性を損なうおそれを低減することが可能である。
【００５１】
さらに、フィクスチャー１の内部ロック部１３の外周は、フィクスチャー１の下方に向かうにつれてフィクスチャー１の内側に向けて緩やかに傾斜する傾斜面を有している。これにより、フィクスチャー１の内部ロック部１３とアバットメント３０の外部ロック部３５との嵌合を容易にすることが可能である。
【００５２】
さらに、フィクスチャー１は外部結合様式のフィクスチャーであるため、従来の内部結合様式のフィクスチャーに比べて、中空部分が少なく、フィクスチャー１の剛性を高くすることが可能である。これにより、フィクスチャー１が破断するおそれを低減することが可能である。
【００５３】
３．本発明の実施形態１のフィクスチャーの代替的な構造
図面を参照して上述したフィクスチャー１の構造は例示にすぎない。本発明のフィクスチャー１の構造は、図面を参照して上述したフィクスチャーの構造に限定されない。フィクスチャー１とアバットメント３０との結合力を高くすることが可能である限り、様々な構造のフィクスチャー１を採用することが可能である。
【００５４】
（本発明の実施形態１の変形例）
図３Ａ、図３Ｂを参照して、本発明の実施形態１の変形例のフィクスチャー１’の構造を説明する。
【００５５】
図３Ａは、フィクスチャー１’の正面図である。ここで、フィクスチャー１’の上方部分は図３ＢのＡ−Ａ縦断面図である。図３Ｂは、フィクスチャー１’の上面図である。
【００５６】
図３Ａ、図３Ｂに示されるフィクスチャー１’の構造は、フィクスチャー１’の溝部４’が内部ロック部１３を有していない点を除いて、図２Ａ、図２Ｂに示されるフィクスチャー１の構造と同一である。図２Ａ、図２Ｂに示される構成要素と同一の構成要素には同一の参照番号を付し、その説明を省略する。
【００５７】
図３Ａ、図３Ｂに示されるフィクスチャー１’によれば、内部ロック部１３を設けることによって達成される効果（すなわち、フィクスチャー１の内部ロック部１３とアバットメント３０の外部ロック部３５とが嵌合することにより、アバットメント３０がフィクスチャー１のプラットフォーム面１１から浮き上がることを防止することが可能であるという効果）を除いて、図２Ａ、図２Ｂに示されるフィクスチャー１によって達成される効果と同様の効果を達成することが可能である。
【００５８】
さらに、フィクスチャー１’は、内部ロック部１３を設けない分、加工が容易であり、製造コストを安価にすることが可能である。特に、内部ロック部１３を設けないフィクスチャー１’は、内部ロック部１３を設けることで剛性の低下のおそれが生じる小径のフィクスチャーに有用である。
【００５９】
（本発明の実施形態１の他の変形例）
図４Ａ、図４Ｂを参照して、本発明の実施形態１の他の変形例のフィクスチャー１”の構造を説明する。
【００６０】
図４Ａは、フィクスチャー１”の正面図である。ここで、フィクスチャー１”の上方部分は図４ＢのＡ−Ａ縦断面図である。図４Ｂは、フィクスチャー１”の上面図である。
【００６１】
図４Ａ、図４Ｂに示されるフィクスチャー１”の構造は、フィクスチャー１”の溝部４”が内部ロック部１３”を有しているが、内部ロック部１３”がフィクスチャー１”の外側に向かって延びていない点を除いて、図２Ａ、図２Ｂに示されるフィクスチャー１の構造と同一である。図２Ａ、図２Ｂに示される構成要素と同一の構成要素には同一の参照番号を付し、その説明を省略する。
【００６２】
図４Ａ、図４Ｂに示されるフィクスチャー１”によれば、フィクスチャー１”の溝部４”とアバットメントの突起部とが嵌合することによってフィクスチャー１”とアバットメントとの結合力を高くする効果が、図２Ａ、図２Ｂに示されるフィクスチャー１の溝部４とアバットメントの突起部とが嵌合することによってフィクスチャー１とアバットメントとの結合力を高くする効果よりも小さい点を除いて、図２Ａ、図２Ｂに示されるフィクスチャー１によって達成される効果と同様の効果を達成することが可能である。
【００６３】
（その他の代替的な構造）
フィクスチャー１の係合部２の形状は、図面を参照して上述した形状に限定されない。フィクスチャー１とアバットメント３０との結合力を高くすることが可能である限り、様々な形状（例えば、円柱状の形状、多角柱状の形状）の係合部２を採用することが可能である。
【００６４】
フィクスチャー１の係合部２の外壁面に形成された溝部４の構成は、図面を参照して上述した構成に限定されない。フィクスチャー１とアバットメント３０との結合力を高くすることが可能である限り、様々な構成（例えば、溝部の数、溝部の形状、溝部の間隔、溝部の幅、溝部の深さなどが任意の値である構成）の溝部４を採用することが可能である。
例えば、溝部４の数は６個に限定されない。溝部４の数は１以上の任意の数であり得る。例えば、溝部４の形状は平面Ｕ字形状に限定されない。溝部４の形状は任意の形状であり得る。例えば、溝部４の間隔は略均等に限定されない。溝部４の間隔は任意の間隔であり得る。また、フィクスチャー１の係合部２の外壁面３に溝部４を形成する代わりに、フィクスチャー１の係合部２の外壁面３以外の表面（例えば、フィクスチャー１の係合部２の上面）に溝部４を形成するようにしてもよい。あるいは、フィクスチャー１の係合部２の表面（外壁面３または外壁面３以外の表面）に溝部４を形成する代わりに、フィクスチャー１の係合部２の表面（外壁面３または外壁面３以外の表面）に突起部を形成するようにしてもよい。この場合には、フィクスチャー１の突起部とアバットメント３０の溝部とが嵌合することによってフィクスチャー１とアバットメント３０との結合力を高くすることが可能である。フィクスチャー１とアバットメント３０との結合力を高くすることが可能である限り、様々な構成（例えば、突起部の数、突起部の形状、突起部の間隔、突起部の幅、突起部の深さなどが任意の値である構成）の突起部を採用することが可能である。例えば、突起部の数は６個に限定されない。突起部の数は１以上の任意の数であり得る。例えば、突起部の間隔は略均等に限定されない。突起部の間隔は任意の間隔であり得る。
【００６５】
複数の溝部４のそれぞれが内部ロック部１３を有している必要はない。複数の溝部４のうちの少なくとも１つが内部ロック部１３を有していてもよい。
【００６６】
フィクスチャー１の外周面に形成された縦軸方向に延びる複数の溝６の構成（溝の断面形状、溝の間隔、溝の幅、溝の深さなど）は、図面を参照して上述した構成に限定されない。フィクスチャー１の外周面に形成された横軸方向に延びる複数の溝７の構成（溝の断面形状、溝の間隔、溝の幅、溝の深さなど）もまた、図面を参照して上述した構成に限定されない。
【００６７】
さらに、縦軸方向に延びる複数の溝６の構成および横軸方向に延びる複数の溝７の構成に応じて、複数の溝６と複数の溝７とが交差した部分に形成される複数の突起８の構成も変化し得る。複数の突起８のそれぞれの形状は、ピラミッドの形状に限定されない。複数の突起８のそれぞれの形状は、様々な形状（例えば、四角柱、三角柱、半円柱など）であり得る。複数の突起８の高さのそれぞれは、同一の高さであってもよいし、異なる高さであってもよい。さらに、フィクスチャー１の外周面には、縦軸方向に延びる複数の溝６および横軸方向に延びる複数の溝７を形成しなくてもよいし、縦軸方向に延びる複数の溝６又は横軸方向に延びる複数の溝７のどちらか一方だけを形成してもよい。
【００６８】
４．本発明の実施形態２のフィクスチャーの構造
図５および図６Ａ、図６Ｂを参照して、本発明の実施形態２のフィクスチャー１０１の構造を説明する。フィクスチャー１０１はアバットメント１３０に結合されるように構成されている。
【００６９】
図５は、フィクスチャー１０１とアバットメント１３０との結合関係を示す。ここで、図５の上方はアバットメント１３０の縦断面図であり、図５の下方はフィクスチャー１０１の縦断面図を示している。
【００７０】
図５に示されるように、フィクスチャー１０１は、内部結合様式および外部結合様式の両方の構成を有する内部−外部結合様式のフィクスチャーである。フィクスチャー１０１は、フィクスチャー本体１０１Ａと、アバットメント１３０に結合するための結合部１０１Ｂとを含む。結合部１０１Ｂは、フィクスチャー本体１０１Ａの外部に設けられた外部結合部１５０と、フィクスチャー本体１０１Ａの内部に設けられた内部結合部１５１とを含む。外部結合１５０および内部結合部１５１は、フィクスチャー１０１をアバットメント１３０に結合するためのものである。
【００７１】
フィクスチャー１０１Ａ本体の上方端部１０８には、フィクスチャー１０１のプラットフォーム面１１１とフィクスチャー１０１の係合部１１４とが設けられている。フィクスチャー１０１の係合部１１４は凹状の形状を有している。
【００７２】
フィクスチャー１０１の係合部１０２は、アバットメント１３０の係合部１３１に係合するように構成されている。アバットメント１３０の係合部１３１は、凹状の形状を有している。図５では、フィクスチャー１０１の係合部１０２とアバットメント１３０の係合部１３１との係合関係（すなわち、係合部１０２の凸状の形状と係合部１３１の凹状の形状との係合関係）が破線の矢印で表されている。
【００７３】
フィクスチャー１０１の係合部１０２の外壁面には、６個の溝部１０４が設けられている。これらの溝部１０４のそれぞれは、アバットメント１３０の係合部１３１の内壁面に形成された６個の突起部１３４のうちの対応する１つの突起部１３４と嵌合するように構成されている。図５では、フィクスチャー１０１の溝部１０４とアバットメント１３０の突起部１３４との嵌合関係が破線の矢印で表されている。
【００７４】
フィクスチャー１０１の溝部１０４は、フィクスチャー１０１の縦軸方向に延びている。フィクスチャー１０１の縦軸方向に延びている溝部１０４のうち、係合部１１４の底面１１５よりも下方の部分を内部ロック部１１３という。内部ロック部１１３は、フィクスチャー１０１の外側に向かって延びている。内部ロック部１１３の外周は、傾斜面を有している。この傾斜面は、フィクスチャー１０１の下方に向かうにつれてフィクスチャー１０１の内側に向かって緩やかに傾斜する。フィクスチャー１０１の溝部１０４の一部である内部ロック部１１３は、アバットメント１３０の突起部１３４の一部である外部ロック部１３７と嵌合する。
【００７５】
フィクスチャー１０１の係合部１１４は、アバットメント１３０の係合部１３５に係合するように構成されている。アバットメント１３０の係合部１３５は、凸状の形状を有している。図５では、フィクスチャー１０１の係合部１１４とアバットメント１３０の係合部１３５との係合関係（すなわち、係合部１１４の凹状の形状と係合部１３５の凸状の形状との係合関係）が破線の矢印で表されている。
【００７６】
フィクスチャー１０１の係合部１１４の内壁面１１６は、アバットメント１３０の係合部１３５の外壁面１３６と係合するように構成されている。フィクスチャー１０１の係合部１１４の底面１１５は、アバットメント１３０の下端面１３２と接合するように構成されている。図５では、フィクスチャー１の係合部１１４の内壁面１１６とアバットメント１３０の係合部１３５の外壁面１３６との係合関係およびフィクスチャー１０１の係合部１１４の底面１１５とアバットメント１３０の下端面１３２との接合関係が破線の矢印で表されている。
【００７７】
図６Ａは、フィクスチャー１０１の正面から見た図６ＢのＡ−Ａ縦断面図である。図６Ｂは、フィクスチャー１０１の上面図である。
【００７８】
図６Ａに示されるように、フィクスチャー１０１は、フィクスチャー本体１０１Ａと、アバットメント１３０に結合するための結合部１０１Ｂとを含む。結合部１０１Ｂは、フィクスチャー本体１０１Ａの外部に設けられた外部結合部１５０と、フィクスチャー本体１０１Ａの内部に設けられた内部結合部１５１とを含む。外部結合部１５０は、アバットメント３０の係合部３１に係合するように構成された係合部１０２を含む。内部結合部１５１は、アバットメント３０の係合部１３５に係合するように構成された係合部１１４とを含む。係合部１０２は、凸状の形状を有している。係合部１１４は、凹状の形状を有している。凸状の形状を有する係合部１０２は、凹状の形状を有する係合部１１４の底面１１５の中央に配置されている。
【００７９】
図６Ｂに示されるように、外部結合部１５０の係合部１０２の外壁面１０３には、６個の溝部１０４が略均等に形成されている。これらの溝部１０４のそれぞれは、平面Ｕ字形状をなしている。図６Ｂに示される溝部１０４の形状は、図２Ｂに示される溝部４の形状と同一である。
【００８０】
５．本発明の実施形態２のフィクスチャーによって達成される効果
本発明の実施形態２のフィクスチャー１０１によれば、図２Ａ、図２Ｂに示されるフィクスチャー１によって達成される効果と同様の効果を達成することが可能である。
【００８１】
さらに、本発明の実施形態２のフィクスチャー１０１によれば、フィクスチャー１０１の係合部１０２とアバットメント１３０の係合部１３１との係合（外部結合）に加えて、フィクスチャー１０１の係合部１１４とアバットメント１３０の係合部１３５との係合（内部結合）によって、フィクスチャー１０１とアバットメント１３０とが結合される。これにより、図２Ａ、図２Ｂに示されるフィクスチャー１に比べて、フィクスチャー１０１とアバットメント１３０との接触表面積を増加させることが可能である。これにより、フィクスチャー１０１とアバットメント１３０との結合力を高くすることが可能であり、内部スクリューによる結合力の負担を低減することが可能である。その結果、内部スクリューのねじ径を小さくすることが可能であり（例えば、内部スクリューのねじ径をφ１．４ｍｍに低減することが可能である）、アバットメント１３０をフィクスチャー１０１に締結するために必要とされるトルクの値（すなわち、締結トルク値）を低減することが可能である（例えば、フィクスチャー１０１の締結トルク値を約１５Ｎｃｍ〜約２０Ｎｃｍに低減することが可能である）。
【００８２】
さらに、フィクスチャー１０１とアバットメント１３０との結合力を高くすることが可能である分、フィクスチャー１０１とアバットメント１３０とを締結する際の内部スクリューへの応力集中を低減することが可能である。これにより、内部スクリューが破断するおそれを低減することが可能である。
【００８３】
さらに、締結トルク値を低減することが可能であるため、フィクスチャー１０１とアバットメント１３０とを締結する際に、過大な回転力がフィクスチャー１０１に生じることがない。このため、骨組織とフィクスチャー１０１との固着状態（いわゆる、オッセオインテグレーション）の破壊を防止することが可能である。
【００８４】
さらに、本発明の実施形態２のフィクスチャー１０１によれば、フィクスチャー１０１の係合部１１４の内壁面１１６とアバットメント１３０の係合部１３５の外壁面１３６とが係合される。これにより、横軸方向の大きな応力がアバットメント１３０に生じた場合でも、フィクスチャー１０１の係合部１１４の内壁面１１６によってその横軸方向の応力を吸収することが可能である。その結果、内部スクリューが受ける横軸方向の応力を緩和することが可能であり、内部スクリューが破断するおそれを低減することが可能である。
【００８５】
さらに、本発明の実施形態２のフィクスチャー１０１によれば、フィクスチャー１０１の係合部１１４の底面１１５の位置が、従来の内部結合様式のフィクスチャーの凹状の係合部の底面の位置に比べて上方になっている。これにより、従来の内部結合様式のフィクスチャーに比べて、フィクスチャー１０１の中空部分を大幅に低減することが可能である。これにより、従来の内部結合様式のフィクスチャーに比べて、フィクスチャー１０１の剛性の低下を大幅に抑えることが可能である。その結果、フィクスチャー１０１に大きな応力が生じた場合でも、フィクスチャー１０１が破断するおそれを低減することが可能である。
【００８６】
さらに、本発明の実施形態２のフィクスチャー１０１によれば、口腔内の汚れや細菌などの異物がフィクスチャー１０１の周囲に侵入することを防止することが可能である。これにより、口腔内の汚れや細菌などの異物がフィクスチャー１０１の周囲に侵入することによる骨組織の骨吸収を防止することが可能である。
【００８７】
以下、図７を参照して、本発明の実施形態２のフィクスチャー１０１によれば、どのようにして、口腔内の汚れや細菌などの異物がフィクスチャー１０１の周囲に侵入することを防止することが可能であるかを説明する。
【００８８】
図７は、本発明の実施形態２のフィクスチャー１０１を歯槽骨の骨組織１７０に装着した際のプラットフォーム面１１１近傍の部分拡大図を示す。
【００８９】
図７に示されるように、フィクスチャー本体１０１の上方端部には、プラットフォーム面１１１が設けられている。プラットフォーム面１１１には、フィクスチャー１０１の外側に向かうにつれてフィクスチャー１０１の下方に向けて傾斜する外べベル部１１７と、フィクスチャー１０１の内側に向かうにつれてフィクスチャー１０１の下方に向けて傾斜する内べベル部１１８とが形成されている。
【００９０】
外べベル部１１７の下端と骨組織１７０の骨界面１７１とは接していることが望ましい。内べベル部１１８の下端とフィクスチャー１０１の内壁面１１６の上端とが接している。
【００９１】
フィクスチャー１０１の係合部１１４の内壁面１１６とアバットメント１３０の係合部１３５の外壁面１３６とが係合されている。プラットフォーム面１１１の上部には歯肉１６０が積層されている。歯肉１６０はアバットメント１３０の外壁面１３６に接触している。
【００９２】
フィクスチャー１０１の係合部１１４の内壁面１１６とアバットメント１３０の係合部１３５の外壁面１３６とが係合されている係合面の上端１１９において、フィクスチャー１０１の外周は、アバットメント１３０の外周よりも長い。これにより、スイッチングプラットフォームを実現することが可能である。すなわち、口腔内の汚れや細菌などの異物１８０が、アバットメント１３０と歯肉１６０との間からアバットメント１３０の外壁面１３６に沿ってフィクスチャー１０１とアバットメント１３０とが係合されている係合面の上端１１９に向かって侵入したとしても、アバットメント１０１の外壁面１３６とフィクスチャー１０１の内壁面１１６とが係合されている係合面の上端１１９と骨組織１７０の骨界面１７１との距離が離れているため、異物が骨組織１７０の骨界面１７１に移動するのを防止することが可能である。これにより、異物１８０の侵入による骨組織１７０の骨吸収を抑制することが可能である。その結果、従来の外部結合様式のフィクスチャーに比べて、フィクスチャー１０１と骨組織１７０との固着強度を安定して得ることが可能である。
【００９３】
さらに、プラットフォーム面１１１に内べベル部１１８を設けているため、異物１８０がプラットフォーム面１１１に沿って骨組織１７０の骨界面１７１に移動することを防止することが可能である。これにより、骨組織１７０の骨吸収をさらに抑制することが可能である。その結果、従来の外部結合様式のフィクスチャーに比べて、フィクスチャー１０１と骨組織１７０との固着強度をさらに安定して得ることが可能である。
【００９４】
６．本発明の実施形態２のフィクスチャーの代替的な構造
図面を参照して上述したフィクスチャー１０１の構造は例示にすぎない。本発明のフィクスチャー１０１の構造は、図面を参照して上述したフィクスチャーの構造に限定されない。フィクスチャー１０１とアバットメント１３０との結合力を高くすることが可能である限り、様々な形状のフィクスチャー１０１を採用することが可能である。
【００９５】
本発明の実施形態２のフィクスチャー１０１において、本発明の実施形態１のフィクスチャー１について上述した代替的な構造を採用することが可能である。
【００９６】
さらに、フィクスチャー１０１の係合部１１４の内壁面１１６は縦軸Ｘに平行な面であっても構わない。これにより、フィクスチャー１０１の製造が簡単になりコストダウンを図ることが可能となる。
【００９７】
さらに、プラットフォーム面１１１の形状は、アバットメント１３０と歯肉１６０との間から侵入する異物１８０がプラットフォーム面１１１に沿って骨組織１７０に移動することを妨げるような形状に構成されている限り、様々な形状（例えば、Ｕ字状、Ｖ字状、半円弧状などの形状、または、逆Ｕ字状、逆Ｖ字状、半円弧状などの形状）のプラットフォーム面１１１を採用することが可能である。特に、プラットフォーム面１１１は、フィクスチャー１０１の上方に向かうにつれてフィクスチャー１０１の外側に向かって傾斜していることが好ましい。これにより、異物１８０がプラットフォーム面１１１に沿って移動する際に、異物１８０が重力に反して移動することが必要とされる。その結果、異物１８０が骨組織１７０に移動することをさらに抑制することが可能である。
【００９８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００９９】
本発明は、フィクスチャーの剛性の低下を抑えつつ、フィクスチャーとアバットメントとの結合力を高めることにより、フィクスチャーや内部スクリューが破断するおそれを低減することが可能なフィクスチャーを提供するものとして有用である。
【符号の説明】
【０１００】
１    フィクスチャー
１Ａ  フィクスチャー本体
１Ｂ  外部結合部
２    係合部
３    外壁面
４    溝部
５    ねじ孔
１３  内部ロック部
【図１】
2017029261.tif 000003
【図２Ａ】
2017029261.tif 000004
【図２Ｂ】
2017029261.tif 000005
【図２Ｃ】
2017029261.tif 000006
【図２Ｄ】
2017029261.tif 000007
【図３Ａ】
2017029261.tif 000008
【図３Ｂ】
2017029261.tif 000009
【図４Ａ】
2017029261.tif 000010
【図４Ｂ】
2017029261.tif 000011
【図５】
2017029261.tif 000012
【図６Ａ】
2017029261.tif 000013
【図６Ｂ】
2017029261.tif 000014
【図７】
2017029261.tif 000015